(57)【要約】【課題】  手提げ紐の取付場所が異なる数種類の手提げ袋においても、一種類のみで対応することができる手提げ袋用口ボールと、およびこの口ボールを用いた手提げ袋を提供する。【解決手段】  所要の幅と長さとを有する矩形状板体２を、長さ方向に沿って断面が略Ｖ字となるよう２つ折りし、前記略Ｖ字状の頂部の中央部に、所要間隔を存して一対の透孔４，４を形成すると共に、いずれか一方の面板２ａに、前記一対の透孔４，４と一定の距離を存して相対させて形成した一対の透孔５，５を有する手提げ袋用口ボール１を形成し、この手提げ袋用口ボール１を使用して手提げ袋を製作する。【選択図】      図１
2008037446.tif 000002
【特許請求の範囲】
【請求項１】
所要の幅と長さとを有する矩形状板体を、長さ方向に沿って断面が略Ｖ字となるよう２つ折りし、
前記略Ｖ字状の頂部の中央部に、所要間隔を存して一対の透孔を形成するとともに、
前記頂部を介して連なるいずれか一方の面板の、前記頂部と所要の距離を存して平行する仮想線上に所要の間隔を存して一対の透孔を形成したこと
を特徴とする手提げ袋用口ボール。
【請求項２】
前記矩形状板体は、
所要の厚みを有する厚紙もしくは弾性を有する合成樹脂薄板であること
を特徴とする請求項１に記載の手提げ袋用口ボール。
【請求項３】
前記矩形状板体は、
長手方向の中心部に、短手方向の端面からそれぞれ所要長さの切込みを形成するとともに、中央部にも切込みを形成したものであること
を特徴とする請求項１に記載の手提げ袋用口ボール。
【請求項４】
前記透孔を有する矩形状板体は、
係止片に形成された透孔に所要長さを有する紐主体の両端部を挿通させ、両者を実質的に一体化させて形成された手提げ紐を具備するものであること
を特徴とする請求項１に記載の手提げ袋用口ボール。
【請求項５】
前記面板に形成される透孔は、
前記頂部に形成された一対の透孔と、一定の距離を存して相対する部位に形成されていること
を特徴とする請求項１に記載の手提げ袋用口ボール。
【請求項６】
所要の幅と長さとを有する矩形状板体を、長さ方向に沿って断面が略Ｖ字となるよう２つ折りし、前記ほぼＶ字状の頂部の中央部に、所要間隔を存して一対の透孔を形成するとともに、いずれか一方の面板に、前記一対の透孔と一定の距離を存して相対させて形成した一対の透孔を有する手提げ袋用口ボールと、
この手提げ袋用口ボールを被覆する折返し部を開口部に有する袋主体と、所要長さを有する合成樹脂製の紐主体の両端部に合成樹脂製の係止片を溶着させて一体化させた手提げ紐とからなるもので、
前記手提げ紐を、袋主体の前記折返し部の内側、あるいは折返し部と相対する袋主体の口部外側から引出す場合は、手提げ紐の両端を前記面板に形成された一対の透孔に、袋主体の折返し部の稜線から真上に引出す場合には、前記面板の頂部上に形成された一対の透孔に、それぞれ係着するよう構成されていること
を特徴とする手提げ用袋。
【発明の詳細な説明】
【技術分野】
【０００１】
この発明は、販売した商品の持ち帰りなど種々の用途に供される手提げ袋において、その開口部に使用される手提げ袋用口ボールと、この手提げ袋用口ボールを利用した手提げ袋に関するものである。
【背景技術】
【０００２】
商品の持ち帰りのために提供される手提げ袋は、商品を収納する袋主体の強度もさることながら、提げ紐を設ける口（くち）ボールを含めた開口部の強度と、袋製作過程での容易さがより求められている。
【０００３】
このような要請に応じ、たとえば、実公昭５９−１９４８３１号公報（特許文献１）においては、袋体上端の開口部に設けた折返し縁の内部に、山形の断面形に折曲げた合成樹脂板からなる補強リブを通走し、この補強リブと同系の合成樹脂繊維からなる吊縄の両端部を、前記袋体の折返し縁及び補強リブの上縁に設けた抜孔を貫通して内部にある補強リブの左右側壁間に挿入せしめ、吊縄の各下端部と補強リブの左右側壁とを超音波加工により一体に溶着することで、紙袋に作用する荷重を補強リブ全長に亘って分散せしめ、これによって安価に手提げ袋の耐久強度を向上させた手提げ袋が開示されている。
【０００４】
また、特開２００４−３５０３５号公報（特許文献２）には、手提げ袋の口元を所定の幅内側に折返部として折り返し、この手提げ袋の上端内面の折返部によって覆われる部位には、提手紐を取付けた口元補強板を貼付するようになした手提げ袋の提手において、上記継手紐の両端を、口元補強板に開穿した通孔を挿通して、この提手紐の通孔より貫出した部位を折曲部として折り曲げて、この折曲部を口元補強板に糊着する発明が開示されている。
【０００５】
さらに、実公昭６２−０３５４００号公報（特許文献３）には、提げ紐が紙袋から抜けるのを防止するための技術として、紐の孔掛止部を結び玉によることなく、簡単で且つ連続自動製法による大量生産により、コスト安で強度的にも非常に優れた掛止部を有する手提下袋用の提手に関する考案が開示されている。
【０００６】
より具体的に説明すると、特許文献３に記載の考案は、合成樹脂フィルムを弛く撚り合わせてなる紐本体と、合成樹脂フィルム製ロープを固く固着処理しそれを所定長さに切断してなる長細形状の掛止片とから成り、上記紐本体の両端切断部を上記掛止片の長手方向中央部に溶着させ、上記紐本体の両端部にそれぞれ「Ｔ」字形状の紐掛止部を形成してなる手提げ袋用の手提げである。
【特許文献１】実公昭５９−１９４８３１号公報（実用新案登録請求の範囲）
【特許文献２】特開２００４−３５０３５号公報（特許請求の範囲）
【特許文献３】実公昭６２−０３５４００号公報（実用新案登録請求の範囲）
【発明の開示】
【発明が解決しようとする課題】
【０００７】
手提げ袋は、商品の持ち運び可能で、丈夫であることなどが必須であるが、近年では前記目的以外に、企業の宣伝媒体としてや、商品の包装の一種として用いられるなど使用目的は多用化している。
【０００８】
この手提げ袋の構成は、袋主体と提げ紐から構成される単純なものであるため、特に、提げ紐の取付位置によって、手提げ袋の印象が大きく異なってくる。
したがって、袋主体表面のデザイン（図柄）に合わせて、提げ紐の取付場所、すなわち、提げ紐を開口部の内側あるいは外側に、さらには真上に引き出すかによって、手提げ袋の印象を大きく左右するため、手提げ袋メーカーは、収納する商品や袋主体に描かれるデザインに合わせて、少なくとも３つのタイプを準備することが求められる。
【０００９】
しかるに、特許文献１や特許文献２に記載の手提げ袋は、提げ紐の両端は、補強用リブ（口ボール）内等に固定されているため、強度に関しては問題がないものの、提げ紐の取付場所に関しては選択することができない。
そのため、手提げ袋のデザインに合わせて、３タイプの補強用リブを準備する必要があるので、部品の共有化を図ることができず、部品管理の煩雑さによりコストアップに繋がってしまう。
【００１０】
また、特許文献３に記載の考案によれば、手提げ袋の任意の場所に孔を設け、当該孔に掛止片を挿通させるだけで、簡単に、かつ確実に提げ紐を取付けることが可能となる非常に優れた技術ではあるが、提げ紐の引出し位置についてはなんら考慮されていないので、袋主体の口部の構造を変更する以外には、提げ紐の引出し方向を自由に選定することができないなど、実用上解決すべき課題がある。
【００１１】
この発明はかかる現状に鑑み、手提げ紐自体の取付強度を向上させ、大量に生産することが可能で、かつ、手提げ紐の取付場所が異なる数種類の手提げ袋においても、一種類のみで対応することができる手提げ袋用口ボールと、およびこの口ボールを用いた手提げ袋を提供せんとするものである。
【課題を解決するための手段】
【００１２】
前記課題を解決するために、この発明の請求項１にかかる発明は、
所要の幅と長さとを有する矩形状板体を、長さ方向に沿って断面が略Ｖ字となるよう２つ折りし、
前記略Ｖ字状の頂部の中央部に、所要間隔を存して一対の透孔を形成するとともに、
前記頂部を介して連なるいずれか一方の面板の、前記頂部と所要の距離を存して平行する仮想線上に所要の間隔を存して一対の透孔を形成したこと
を特徴とする手提げ袋用口ボールである。
【００１３】
また、請求項２に記載の発明は、
請求項１に記載の手提げ袋用口ボールにおいて、
前記矩形状板体は、
所要の厚みを有する厚紙もしくは弾性を有する合成樹脂薄板であること
を特徴とするものである。
【００１４】
また、請求項３に記載の発明は、
請求項１に記載の手提げ袋用口ボールにおいて、
前記矩形状板体は、
長手方向の中心部に、短手方向の端面からそれぞれ所要長さの切込みを形成するとともに、中央部にも切込みを形成したものであること
を特徴とするものである。
【００１５】
また、この発明の請求項４にかかる発明は、
請求項１に記載の手提げ袋用口ボールにおいて、
前記透孔を有する矩形状板体は、
係止片に形成された透孔に所要長さを有する紐主体の両端部を挿通させ、両者を実質的に一体化させて形成された手提げ紐を具備するものであること
を特徴とするものである。
【００１６】
また、この発明の請求項５にかかる発明は、
請求項１に記載の手提げ袋用口ボールにおいて、
前記面板に形成される透孔は、
前記頂部に形成された一対の透孔と、一定の距離を存して相対する部位に形成されていること
を特徴とするものである。
【００１７】
さらに、この発明の請求項６にかかる発明は、
所要の幅と長さとを有する矩形状板体を、長さ方向に沿って断面が略Ｖ字となるよう２つ折りし、前記ほぼＶ字状の頂部の中央部に、所要間隔を存して一対の透孔を形成するとともに、いずれか一方の面板に、前記一対の透孔と一定の距離を存して相対させて形成した一対の透孔を有する手提げ袋用口ボールと、
この手提げ袋用口ボールを被覆する折返し部を開口部に有する袋主体と、所要長さを有する合成樹脂製の紐主体の両端部に合成樹脂製の係止片を溶着させて一体化させた手提げ紐とからなるもので、
前記手提げ紐を、袋主体の前記折返し部の内側、あるいは折返し部と相対する袋主体の口部外側から引出す場合は、手提げ紐の両端を前記面板に形成された一対の透孔に、袋主体の折返し部の稜線から真上に引出す場合には、前記面板の頂部上に形成された一対の透孔に、それぞれ係着するよう構成されていること
を特徴とする手提げ用袋である。
【発明の効果】
【００１８】
この発明の手提げ用袋用口ボールは、所要の幅と長さとを有する矩形状板体を、長さ方向に沿って断面が略Ｖ字となるよう２つ折りするとともに、前記略Ｖ字状の頂部の中央部に所要間隔を存して一対の透孔を形成し、また、いずれか一方の面板の、前記頂部と所要の距離を存して平行する仮想線上に、所要の間隔を存して一対の透孔が形成されているので、前記矩形状板体に形成された透孔の選択によって、手提げ用袋の内側あるいは外側、さらには真上に手提げ紐を引出すことができ、１つの手提げ用袋用口ボールで少なくとも３つのタイプの手提げ袋に対応することができる。
したがって、部品の共用化によって商品のコストダウンを図ることができ、かつ在庫管理もきわめて容易となる。さらに、用意する手提げ袋も手提げ紐の引出し位置を変えるだけでよいので、さらにコストダウンを推進させることができる。
【００１９】
また、この手提げ用袋用口ボールは、矩形状板体を、長さ方向に沿って断面が略Ｖ字となるよう２つ折りするとともに、前記ほぼＶ字状の頂部の中央部に、所要間隔を存して一対の透孔を形成し、また、いずれか一方の面板に、前記一対の透孔と一定の距離を存して相対させて一対の透孔を形成するという簡素な構成のため、大量生産することができ、素材の選択によって十分な強度を得ることができる。
【００２０】
また、この発明にかかる手提げ用袋は、前記の手提げ用袋用口ボールを使用しているので、提げ紐を折返し部の内側または開口部の外側、さらには折り返し縁部上のいずれの部位にも引出すことができるので、袋主体のデザインに合った手提げ紐の引出し位置を選択することができ、部品の共有化による在庫管理等の煩わしさを排除し、安価に提供することができる。
【発明を実施するための最良の形態】
【００２１】
以下、この発明にかかる手提げ袋用口ボールならびに、この口ボールを使用した手提げ袋について、添付の図面を参照しながら詳細に説明するが、この発明は図示した実施例にのみに限定されるものではなく、この発明の要旨を変更しない範囲内において種々変更を加えることが可能なものである。
【００２２】
この発明にかかる手提げ袋用口ボール１は、図１で明らかなように、使用せんとする袋主体の開口部の長さ方向における幅と同幅、もしくは幅狭で、所要の厚みを有する矩形状板体２の長手方向の中心部に沿って折り目線（頂部）３を形成し、この折り目線３の中央部に所要の間隔を存して、所要の径を有する一対の透孔４，４を形成する。
一方、前記折り目線３を介して相対するいずれか一方の面板、実施例においては面板２ａの、前記折り目線３と所要の距離を存して平行する仮想線ＣＬ上、実質的には、面板２ａの長手方向に沿った中心線上で、かつ前記一対の透孔４，４と相対する位置に一対の透孔５，５を形成したものである。
【００２３】
この手提げ袋用口ボール１を構成する矩形状板体２の素材については、口ボールとして強度を確保できる材質であれば特段の制限はないものの、適度の厚みを有する厚紙もしくは弾性を有する合成樹脂薄板を使用することが好ましい。
【００２４】
また、この矩形状板体２は、最終的に前記折り目線３を中心に全体を断面略Ｖ字状に折り曲げて使用するものであるので、各短辺側から前記折り目線３に沿って所要長さの切れ目３ａ,３ｂを形成するとともに、前記一対の透孔４，４間の折れ目線３上に所要長さの切れ目３ｃを形成しておくことによって、容易にＶ字状に折り曲げることができるので好ましい態様である。
なお、前記折り目線３は、矩形状板体２を断面ほぼＶ字状に折り曲げた際、稜線（頂部とも表現することがある。）を構成するものである。
【００２５】
また、前記透孔４，４の間隔と、透孔５，５の間隔は、図１では等しく形成されているが、その間隔も透孔４，４と必ずしも同じ間隔でなくてもよい。また、透孔５，５は、一方の面板２ａ（又は２ｂ）の長手方向に沿った中心線上に形成されているが、前記頂部と平行する線上であれば、その位置には特段の制限はない。
【００２６】
図２は、この発明にかかる手提げ袋１０の一実施例を示す斜視図、図３は手提げ袋に使用される手提げ紐の一例を示す説明図であって、前記手提げ紐６は、図３で明らかなように、所要の長さを有する紐部材６ａの両端部に、係止片６ｂ，６ｂを一体的に付設したものである。
【００２７】
すなわち、この手提げ紐６は、前記特許文献３に記載されているように、延伸加工されたポリプロピレン製フィルムを緩く撚り合わせて形成された紐部材６ａの両端部を、合成樹脂製の係止片６ｂ，６ｂにそれぞれＴ字状になるよう溶着一体化させて構成したものである。
【００２８】
なお、この手提げ紐６は、実施例においては、紐部材６ａと係止片６ｂとを、いずれも合成樹脂で製作し、両者をあらかじめ溶着手段で一体化させているが、必ずしも実施例にのみ限定されるものではない。
すなわち、紐部材６ａは樹脂製でなくともよく、係止片６ｂは市販されている樹脂製又は金属製の船ピンとし、当該船ピンに上下方向に貫通させた透孔に紐部材６ａの端部を挿通させ、溶着もしくはカシメなど適宜の手段によって実質的に両者を一体化させたものであれば、他の態様であってもよい。
【００２９】
しかして、図３に示す手提げ袋１０は、図４に示すように、開口部の周縁にそって、袋主体１０ａの内側に折返された折返し部１１を有し、この折返し部１１と袋主体１０ａとの間に形成される空隙Ｇ内に、断面Ｖ字状に折り曲げた手提げ袋用口ボール１を装着し、この手提げ袋用口ボール１の稜線上に形成された一対の透孔４，４に、前記手提げ紐６の係止片６ｂ，６ｂを係着し、手提げ紐６を真上に引出したものである。
【００３０】
具体的には、袋主体１０ａの折返し部１１の折り目（開口縁部）に、前記手提げ袋用口ボール１の稜線上に形成された一対の透孔４，４と相対させて一対の透孔１０ｂを開口させ、前記一対の透孔４，４のいずれか一方の透孔に、図４に示すように、提げ紐６の一方の係止片６ｂを上方から差込み、他方の係止片６ｂの先端部を前記透孔１０ｂから外側に引出し、他方の係止片６ｂを、他方の透孔から空隙Ｇ内に引き込んだのち、その先端を他方の透孔４内に差込む。
しかるのち、折返し部１１の内側に接着剤を塗布して折返し部１１を袋主体１０ａの内側に固着したもので、このようにして袋主体１０ａの相対する開口部から真上に引出された手提げ紐６，６を装着し、手提げ袋１０としたものである。
【００３１】
なお、手提げ紐６は、当然のことながら、袋主体１０ａの長手方向で相対する開口縁部にも、同様の手順で装着されるものである。
【００３２】
図５は手提げ紐６を、折返し部６の内側に引出した態様を示すもので、図６で明らかなように、袋主体１０ａの折返し部１１に、前記手提げ袋用口ボール１の面板２ａに形成された一対の透孔５，５と相対させて一対の透孔１０ｂを開口させ、前記実施例で説明した方法と同様の手順で袋主体１０ａに手提げ紐６を装着するものである。
【００３３】
このように、手提げ紐６を折返し部１１の内側から引出す場合には、図６で明らかなように、面板２ａを折返し部１１と相対させて行うもので、袋主体１０ａの表面から引出す場合には、面板２ａを図８で示すように、袋主体１０ａと相対させて行うものである。
【００３４】
すなわち、前記折返し部１１と相対する袋主体１０ａの表面に、前記手提げ袋用口ボール１の面板２ａに形成された一対の透孔５，５と相対させて一対の透孔１０ｂを開口させ、前記図３、図４で示した実施例で説明した方法と同様の手順で袋主体１０ａに手提げ紐６を装着するものである。
【００３５】
以上述べたように、この発明においては、手提げ紐６を、袋主体１０ａの内側の折返し部１１から、あるいは折返し部１１の稜線部の真上から、さらには袋主体１０ａの開口部近傍の表面から、袋主体１０ａの用途、表面に描かれるデザインなどを考慮して、一つの手提げ袋用口ボール１によって所望の方向に引出すことができる。
【産業上の利用可能性】
【００３６】
この発明にかかる手提げ袋用口ボールは、提げ紐の引出し位置の異なる手提げ袋であっても、一種類の口ボールで対応できる技術であるため、手提げ袋のみならず、鞄類全般の製造産業に利用することができる。
【図面の簡単な説明】
【００３７】
【図１】この発明にかかる手提げ袋用口ボールの一例を示す平面図である。
【図２】この発明において使用する手提げ紐の一例を示す説明図である。
【図３】この発明にかかる手提げ袋の一例を示す斜視図である。
【図４】図３における要部の拡大断面図である。
【図５】この発明にかかる手提げ袋の他の一例を示す斜視図である。
【図６】図５における要部の拡大断面図である。
【図７】この発明にかかる手提げ袋のさらに他の一例を示す斜視図である。
【図８】図７における要部の拡大断面図である。
【符号の説明】
【００３８】
１          手提げ袋用口ボール
２          矩形状板体
２ａ，２ｂ  矩形状板体を構成する面板
３          折り目線
３ａ〜３ｃ  切れ目
４，５      透孔
６          手提げ紐
６ａ        紐部材
６ｂ        係止片
１０        手提げ袋
１０ａ      袋主体
１０ｂ      透孔
１１        折返し部
Ｇ          空隙
ＣＬ        仮想線
【図１】
2008037446.tif 000003
【図２】
2008037446.tif 000004
【図３】
2008037446.tif 000005
【図４】
2008037446.tif 000006
【図５】
2008037446.tif 000007
【図６】
2008037446.tif 000008
【図７】
2008037446.tif 000009
【図８】
2008037446.tif 000010